(57)【要約】本発明は、回転対称的なカップリングに関し、このカップリングは、ゴム弾性的な材料から成る外部リング（３）によって取り囲まれている、剛性の材料から成る環状のハブ（２）を備えており、さらに、トルクの形状接続的な伝達のために、外径に配置された外部輪郭を備えており、この場合、外部リング（３）が、埋め込まれた、環状の硬い固体（７）によって補強されている。このようなカップリングの場合に静粛な走行を達成しかつカップリングがより良好に損傷に対して保護されるように、本発明では、ゴム弾性的な材料がシリコーンであり、環状の硬い固体が、外側において、外部リング（３）の外部輪郭（５）に類似した形状を有しており、かつ円周に亘って外部リング（３）の外部輪郭（５）に対してほぼ一定の間隔を有している。有利には、硬い固体（７）は、一定の厚さの曲げられた金属製の帯材料から成っている。【特許請求の範囲】
【請求項１】
回転対称的なカップリング（１）であって、
環状のハブ（２）が設けられており、該ハブが、実質的に硬い材料から成っておりかつ、ゴム弾性的な材料から成る外部リング（３）によって取り囲まれており、外径（４）に配置された外部輪郭（５）が設けられており、該外部輪郭を介して形状接続的にトルクが伝達されるようになっており、前記外部リング（３）において外部輪郭（５）の近傍に実質的に環状の硬い固体（７）が外部リング（３）のゴム弾性的な材料に埋め込まれており、前記固体も同様に外部輪郭（７ａ）を有しており、環状の硬い固体の外部輪郭（７ａ）の個々の凸状成形部（７ｂ）が、外部リング（３）の外部輪郭（５）の凸状成形部（６）内へ半径方向に内方から外方へ突出している形式のものにおいて、
前記ゴム弾性的な材料がシリコーンであり、前記環状の硬い固体（７）が、半径方向外方へ向いた形状において外部リング（３）の外部輪郭（５）に類似しておりかつ、円周に沿って外部リング（３）の外部輪郭（５）に対してほぼ一定の間隔を有していることを特徴とする、回転対称的なカップリング。
【請求項２】
前記環状の硬い固体（７）が、均一な厚さの曲げられた金属製の帯材料から成っている、請求項１記載のカップリング。
【請求項３】
前記環状の硬い固体（７）が、アルミニウム又はアルミニウム合金から成っている、請求項１又は２記載のカップリング。
【請求項４】
前記環状の硬い固体（７）が、シリコーン材料の層によって完全に取り囲まれている、請求項１記載のカップリング。
【発明の詳細な説明】
【０００１】
本発明は、回転対称的なカップリングであって、環状のハブが設けられており、該ハブが、実質的に硬い材料から成っており、ゴム弾性的な材料から成る外部リングによって取り囲まれており、外径に配置された外部輪郭が設けられており、該外部輪郭によって形状接続的なトルクが伝達され、外部リングにおいて外部輪郭の近傍に、実質的に環状の硬い固体が、外部リングのゴム弾性的な材料に埋め込まれており、該外部リングが、同様に外部輪郭を有しており、環状の硬い固体の外部輪郭の個々の凸状成形部が、外部リングの外部輪郭の個々の凸状成形部に、半径方向内方から外方へ突出しているカップリングに関する。
【０００２】
従来公知のカップリングの場合、埋め込まれた固体は、剛性の金属製のリングから成り、このリング上にそれぞれ、ゴム弾性的な材料から成る外部リングが半径方向の突出部を有している箇所において、同様に半径方向の突出部が溶接されている。この場合、ゴム弾性的な材料から成る、金属製のリングを被覆した層は、それぞれ突出部の領域において及びそれぞれ２つの突出部の中間において極めて薄くかつその他の部分では極めて厚い。これにより、外部リングの円周部におけるそれぞれの負荷導入点における弾性的な特性が極めて不均一となり、このことは、カップリングの騒々しい走行及び外部輪郭の損傷を生じるおそれがある。したがって、このような損傷は、この損傷に基づき、埋め込まれた固体と後接続された機械エレメントとの直接接触、又は攻撃的な媒体との直接接触が生じる場合には、特に重大である。
【０００３】
したがって、本発明の課題は、冒頭に述べた形式のカップリングを、静粛に走行しかつ損傷に対してより良好に保護されているように改良することである。
【０００４】
この課題を解決するために、本発明では、冒頭に述べた形式のカップリングから出発して、ゴム弾性的な材料がシリコーンであり、環状の硬い固体が、外方に面した形状において外部リングの外部輪郭に似ており、円周に亘って、外部リングの外部輪郭に対してほぼ一定の間隔を有している。この形式において、それぞれの負荷導入点におけるカップリングの弾性特性が常に等しく、シリコーン材料における局所的な負荷集中が生じないことが保証される。外周部においてシリコーン材料を使用することによって、弾性的な外部リングにおける刻み目の可能性が減少する。さらに、環状の硬い固体は、外側において、化学的に極めて耐性のあるシリコーン層によって完全に被覆されている。
【０００５】
本発明の特に有利な実施形態では、環状の硬い固体が、一定の厚さを有する、曲げられた金属製の帯材料から成っている。環状の固体のこの構成は、特に安価である。さらに、補強する固体の所要の剛性は、使用される帯材料の厚さによって簡単に決定されることができる。したがって、硬い環状の固体の寸法決定は、耐えられる、剛性の急激な変化を考慮して可能になる。
【０００６】
さらに、環状の硬い固体は、アルミニウム又はアルミニウム合金から成っている。アルミニウム帯材料は、特に容易に、本発明により使用される剛性のリングに加工されることができ、低い比重を有しており、隣接するシリコーン材料と非常によく結合する。
【０００７】
最後に、硬い固体は、シリコーン材料の層によって完全に取り囲まれている。硬い固体をアルミニウムに完全に埋め込むことによって、固体の特により良好な保持が保証される。さらに、硬い金属製の固体は、その周囲を、攻撃的な媒体の流入からよく保護されている。
【０００８】
以下に本発明を特別な実施例に関連して様々な図面を参照してさらに詳しく説明する。
【０００９】
図１は本発明によるカップリング１を示しており、このカップリング１は、ハブ２と、このハブに半径方向外側で接続した弾性的な、シリコーンから成る外部リング３とを備えている。外部リング３は、外径４において外部輪郭５を有しており、この外部輪郭５を介して外部リングは、ハブ２に導入されるトルクを、後続の機械エレメントに伝達する。
【００１０】
外部リング３の外部輪郭５の個々の凸状成形部６を支持するために、外部リング３のシリコーン材料内には、均一な厚さのアルミニウム帯材から成る環状の硬い固体７が埋め込まれている。環状の硬い固体７は、外部リング３の外部輪郭５のように、半円形の切欠８若しくは凹状成形部を有している。環状の硬い固体７は、シリコーン材料によって完全に取り囲まれており、これにより、半径方向外側において、シリコーン材料の等しい厚さの層９が、環状の硬い固体７の周囲に提供されている。
【００１１】
ハブ２への図示されていない軸の力導入は、軸方向孔１０を介して行われる。センタリング孔は、図示されていない軸に対するカップリング１の規定された位置を保証する。ハブ２及び外部リング３にはそれぞれマーク１２及び１３が設けられており、これらのマークは、外部リング３の弾性変形をマーク１２，１３の周方向ずれによって知らせる。
【００１２】
半径が増大するに連れて減少する、外部リング３の特定の負荷に対応して、外部リング３の横断面１４は、直径が増大するに従って次第に細くなっている。環状の硬い固体７を収容するために、横断面１４は、環状の硬い固体７が外部リングのシリコーン材料によって完全に取り囲まれるように、再び拡開している。
【図面の簡単な説明】
【図１】
本発明によるカップリングの側面図である。
【図２】
図１に示したＣ−Ｄ線に沿って見た本発明によるカップリングの断面図である。
【図３】
図１に示したＡ−Ｂ線に沿って見た本発明によるカップリングの断面図である。
【図４】
本発明による環状の、硬い固体を示す図である。
【図５】
図１に示したＥ−Ｆ線に沿って見た、図４の本発明による硬い固体の断面図である。
【符号の説明】
１　カップリング、　２　ハブ、　３　外部リング、　４　外径、　５　外部輪郭、　６　凸状成形部、　７　硬い固体、　８　切欠、　９　層、　１０　軸方向孔、　１２，１３　マーク、　１４　横断面
【国際公開パンフレット】
2004514857.tif 000002
2004514857.tif 000003
2004514857.tif 000004
2004514857.tif 000005
2004514857.tif 000006
2004514857.tif 000007
2004514857.tif 000008
2004514857.tif 000009
2004514857.tif 000010
2004514857.tif 000011
2004514857.tif 000012
2004514857.tif 000013
【国際調査報告】
2004514857.tif 000014
2004514857.tif 000015
2004514857.tif 000016
2004514857.tif 000017
2004514857.tif 000018
2004514857.tif 000019